(57)【要約】【課題】窓回り品の増設をより簡素な作業で行うことを可能とする。【解決手段】額縁材６は、室内壁の開口部２の周囲に設けられた既設額縁である窓額縁５に対して取り付けられる額縁材であって、既設額縁である窓額縁５の開口部２側の表面５ａ及び室内側の見付面５ｂに対して当接すると共に窓額縁５の延在方向に沿って延びる第１支持部６１及び第２支持部６２と、第１支持部６１における窓額縁５への当接面とは逆側の表面に形成され、窓額縁５の延在方向に沿って延びる溝部６４，６５と、を備える。【選択図】図１
2016223223.tif 000002
【特許請求の範囲】
【請求項１】
室内壁の開口部の周囲に設けられた既設額縁に対して取り付けられる額縁材であって、
前記既設額縁の前記開口部側の表面及び室内側の見付面に対して当接すると共に前記既設額縁の延在方向に沿って延びる支持部と、
前記支持部のうち前記既設額縁への当接面とは逆側の表面に形成され、前記既設額縁の延在方向に沿って延びる一以上の溝部と、
を備える額縁材。
【請求項２】
前記支持部は、前記開口部側の表面と当接する第１支持部と、当該第１支持部の端部において当該第１支持部に接続されて前記見付面と当接する第２支持部とを有し、
前記第２支持部は、その幅が前記見付面よりも大きく、前記第１支持部と接続する側の端部とは逆側の端部に爪部を有する請求項１記載の額縁材。
【請求項３】
前記溝部の延在方向に沿って延びると共に前記溝部を覆う取り外し可能な溝カバー材をさらに備える請求項１又は２記載の額縁材。
【請求項４】
室内壁の開口部の周囲に設けられた既設額縁と、
前記既設額縁に対して取り付けられた請求項１〜３のいずれか一項に記載された額縁材と、
前記額縁材の前記溝部に対して嵌め込まれた窓回り品と、
を備える窓構造。
【請求項５】
窓構造用に室内壁に設けられた開口部の周囲に取り付けられる額縁材であって、
前記開口部の表面及び前記室内壁の表面に対して当接すると共に前記開口部の表面の延在方向に沿って延びる支持部と、
前記支持部のうち前記開口部の表面への当接面とは逆側の表面に形成され、前記開口部の表面の延在方向に沿って延びる一以上の溝部と、
を備える額縁材。
【請求項６】
室内壁の開口部に対して取り付けられた請求項５に記載された額縁材と、
前記額縁材の前記溝部に対して嵌め込まれた窓回り品と、
を備える窓構造。
【発明の詳細な説明】
【技術分野】
【０００１】
本発明は、既設額縁に対して取り付けられる額縁材及びこの額縁材を備えた窓構造に関する。
【背景技術】
【０００２】
従来から、防音効果、断熱効果等を目的として、既設の外窓よりも室内側に内窓を設けて二重窓を形成することが行われている。このように、外窓よりも室内側に内窓やブラインド等の新たな窓回り品を設ける場合、既設の額縁に対して額縁の増設等の何らかの改修を行うことが一般的である（例えば、特許文献１，２等）。
【先行技術文献】
【特許文献】
【０００３】
【特許文献１】特開２００７−２９７８３１号公報
【特許文献２】特開２０１０−１２１３２５号公報
【発明の概要】
【発明が解決しようとする課題】
【０００４】
しかしながら、既設の額縁に対して改修を行うことは、消費者にとっては費用及びコストの面の負担が大きい。したがって、より簡素な作業で窓回り品を増設することができる手法が望まれている。
【０００５】
本発明は上記を鑑みてなされたものであり、窓回り品の増設をより簡素な作業で行うことを可能とする額縁材及びこの額縁材を備えた窓構造を提供することを目的とする。
【課題を解決するための手段】
【０００６】
上記目的を達成するため、本発明に係る額縁材は、室内壁の開口部の周囲に設けられた既設額縁に対して取り付けられる額縁材であって、前記既設額縁の前記開口部側の表面及び室内側の見付面に対して当接すると共に前記既設額縁の延在方向に沿って延びる支持部と、前記支持部のうち前記既設額縁への当接面とは逆側の表面に形成され、前記既設額縁の延在方向に沿って延びる一以上の溝部と、を備えることを特徴とする。
【０００７】
上記の額縁材によれば、既設額縁に対して取り付けることにより、額縁材の表面に形成された溝部に対して窓回り品を取り付けることが可能となる。したがって、従来の工法等と比較して、窓回り品の増設をより簡素な作業で行うことが可能となる。
【０００８】
ここで、前記支持部は、前記開口部側の表面と当接する第１支持部と、当該第１支持部の端部において当該第１支持部に接続されて前記見付面と当接する第２支持部とを有し、前記第２支持部は、その幅が前記見付面よりも大きく、前記第１支持部と接続する側の端部とは逆側の端部に爪部を有する態様とすることができる。
【０００９】
上記のように、第２支持部の幅が見付面よりも大きく、さらに爪部を設けることで、第１支持部と爪部とにより既設額縁を挟むことで、額縁材を既設額縁に対して固定させることができる。したがって、額縁材の取り外しをより簡素な作業で行うことが可能となる。
【００１０】
また、前記溝部の延在方向に沿って延びると共に前記溝部を覆う、取り外し可能な溝カバー材をさらに備える態様とすることができる。
【００１１】
上記のように溝カバー材をさらに備える構成とすることで、例えば、複数の溝部のうち窓回り品を取り付けない溝部がある場合に、当該溝部に対して溝カバー材を取り付けることによって、溝部が露出した状態を防ぐことができ、額縁材としての意匠性が向上する。
【００１２】
また、本発明の一形態に係る窓構造は、室内壁の開口部の周囲に設けられた既設額縁と、前記既設額縁に対して取り付けられた上記の額縁材と、前記額縁材の前記溝部に対して嵌め込まれた窓回り品と、を備えることを特徴とする。
【００１３】
上記の窓構造によれば、既設の額縁に対して取り付けられた額縁材を用いることで、窓回り品の増設をより簡素な作業で行うことができる。
【００１４】
また、本発明の一形態に係る額縁材は、窓構造用に室内壁に設けられた開口部の周囲に取り付けられる額縁材であって、前記開口部の表面及び前記室内壁の表面に対して当接すると共に前記開口部の表面の延在方向に沿って延びる支持部と、前記支持部のうち前記開口部の表面への当接面とは逆側の表面に形成され、前記開口部の表面の延在方向に沿って延びる一以上の溝部と、を備えることを特徴とする。
【００１５】
上記の額縁材によれば、窓構造用に設けられた開口部に対して取り付けることにより、額縁材の表面に形成された溝部に対して窓回り品を取り付けることが可能となる。したがって、窓回り品の増設をより簡素な作業で行うことが可能となる。
【００１６】
また、本発明の一形態に係る窓構造は、室内壁の開口部に対して取り付けられた請求項５に記載された額縁材と、前記額縁材の前記溝部に対して嵌め込まれた窓回り品と、を備えることを特徴とする。
【００１７】
上記の窓構造によれば、溝部を有する額縁材を用いることで、窓回り品の増設をより簡素な作業で行うことができる。
【発明の効果】
【００１８】
本発明によれば、窓回り品の増設をより簡素な作業で行うことを可能とする額縁材及びこの額縁材を備えた窓構造が提供される。
【図面の簡単な説明】
【００１９】
【図１】本発明の一実施形態に係る窓構造の一部を示す概略斜視図である。
【図２】額縁材を取り付けた窓構造の第１の使用例であって、上下方向の断面図である。
【図３】額縁材を取り付けた窓構造の第１の使用例であって、水平方向の断面図である。
【図４】額縁材を取り付けた窓構造の第２の使用例であって、上下方向の断面図である。
【図５】額縁材を取り付けた窓構造の第２の使用例であって、水平方向の断面図である。
【図６】変形例に係る額縁材を取り付けた窓構造の使用例であって、上下方向の断面図である。
【発明を実施するための形態】
【００２０】
以下、添付図面を参照して、本発明を実施するための形態を詳細に説明する。なお、図面の説明においては同一要素には同一符号を付し、重複する説明を省略する。
【００２１】
図１は、本発明の一実施形態に係る窓構造の一部を示す概略斜視図であって、窓額縁から額縁材を離間させた状態、すなわち、額縁材の取付け前の状態を示している。また、図２は、額縁材を取り付けた窓構造の上下方向の断面図であり、図３は、額縁材を取り付けた窓構造の水平方向の断面図である。
【００２２】
本実施形態に係る額縁材は、例えば住宅のリフォーム時等に、既存の外窓よりも室内側に窓回り品を増設する際に使用される。すなわち、既存の建築物における既設額縁に対して取り付けられるものである。窓回り品としては、例えば、内窓、カーテン、ブラインド、スクリーン、網戸等が挙げられる。
【００２３】
本実施形態に係る額縁材が使用される窓構造は、図１〜図３に示すように、サッシ３１が装着されたサッシ枠３が壁体１の開口部２に取り付けられたものであり、サッシ枠３の室内側に既設の窓額縁５（既設額縁）が設けられたものである。壁体１は、屋外側に外装材１１が取り付けられる、室内側に内装材１２が取り付けられる。すなわち、内装材１２は室内壁を形成する。
【００２４】
壁体１の開口部２は、長方形に形成されている。サッシ枠３は、開口部２の周囲を囲うように、対向配置された一対の縦枠と、対向配置された上枠及び下枠とが長方形に組まれた状態で構成される。サッシ枠３の内側にサッシ３１等が取り付けられることで、外窓が構成される。
【００２５】
窓額縁５は、断面が四角形状又はＬ字形状の長尺形材であり、サッシ枠３の室内側に設けられる。図１〜図３では、断面が長方形状である窓額縁を示している。窓額縁５は、例えば木製であり、サッシ枠３の周縁を囲むように設けられる。すなわち、窓額縁５についても、対向配置された一対の縦枠と、対向配置された上枠及び下枠とが長方形に組まれた状態で構成される。
【００２６】
額縁材６は、窓額縁５に対して取り付けられるものである。すなわち、額縁材６は、開口部２の形状に対応して、上枠材６Ａ、下枠材６Ｂ、及び対向配置される一対の縦枠材６Ｃを含んで構成される。額縁材６の上枠材６Ａは、窓額縁５の上枠に対して取り付けられる。同様に、下枠材６Ｂは、窓額縁５の下枠に対して取り付けられ、縦枠材６Ｃは、窓額縁５の縦枠に対して取り付けられる。図１では、下枠材６Ｂを窓額縁５の下枠に対して取り付ける際の状況について示している。
【００２７】
額縁材６（６Ａ〜６Ｃ）は、それぞれ窓額縁５を構成する枠材（縦枠、上枠又は下枠）の延在方向に沿って延びる長尺形状の部材であり、例えば、樹脂製とすることができるが、材料は特に限定されない。
【００２８】
額縁材６は、窓額縁５の開口部２側の表面５ａに対して一方の面が当接する第１支持部６１（支持部）と、窓額縁５の見付面５ｂに対して一方の面が当接する第２支持部６２（支持部）と、第１支持部６１から突出する突出部６３ａ〜６３ｃとを有する。突出部６３ａ〜６３ｃは、第１支持部６１のうち、窓額縁５の表面５ａと当接する側の面（当接面）とは逆側の面（すなわち、開口部２の中心側の面）から開口部２側へ突出する。突出部６３ａ〜６３ｃにより、２つの溝部６４，６５が形成される。
【００２９】
額縁材６の第１支持部６１は、窓額縁５の表面５ａに沿って延在している。第１支持部６１の長さ（長手方向の長さ）は、窓額縁５に対応している。第１支持部６１の幅（短手方向の長さ）は、表面５ａに対応している。
【００３０】
突出部６３ａ〜６３ｃは、それぞれ第１支持部６１の表面から突出し、第１支持部６１の長手方向に延びる略板状の部材により形成されている。突出部６３ａ，６３ｂにより溝部６４が形成され、突出部６３ｂ，６３ｃにより溝部６５が形成されている。図１〜図３では、突出部６３ａ〜６３ｃは、第１支持部６１の表面に対して直交する方向に延びている板状の部材により形成されている例を示しているが、突出部６３ａ〜６３ｃの形状は適宜変更することができる。
【００３１】
溝部６４，６５は、第１支持部６１の延在方向、すなわち、窓額縁５の延在方向に沿って延び、窓回り品のレールを取り付ける領域として機能する。したがって、溝部６４，６５の幅（短手方向の長さ）は、窓回り品の形状に応じて適宜選択することができるが、一般的な窓回り品を取り付ける場合には、溝部６４，６５の幅を３０ｍｍ以上６０ｍｍ以下とすることが好ましい。溝部の幅を３０ｍｍよりも小さくすると、市販の窓回り品を溝部に収容することが困難となる場合がある。また、溝部の幅を６０ｍｍよりも大きくすると、市販の窓回り品のレール幅に比べて大きすぎる場合がある。溝部６４，６５の幅は同一であってもよいし、互いに異ならせてもよい。ただし、同一の開口部２に対して取り付けられる上枠材６Ａ、下枠材６Ｂ、及び縦枠材６Ｃにおいて、溝部６４，６５の幅は共通させておくことが好ましい。
【００３２】
また、溝部６４，６５の深さは、突出部６３ａ〜６３ｃの形状、特に突出部６３ａ〜６３ｃの高さによって調整することができる。なお、溝部６４，６５に窓回り品を取り付けた場合に、窓回り品を安定して保持するためには、溝部６４，６５の深さを１０ｍｍ以上４０ｍｍ以下とすることが好ましい。溝部の深さを１０ｍｍよりも小さくすると、市販の窓回り品のレールを溝部に収容することが困難となる場合がある。また、溝部の深さを４０ｍｍよりも大きくすると、取り付けられた窓回り品の周囲が溝部によって覆われるため、開口部分の面積が小さくなることが考えられる。溝部の深さは、上枠材６Ａ、下枠材６Ｂ、及び縦枠材６Ｃによって互いに異ならせることもできる。
【００３３】
なお、溝部６４，６５は、突出部６３ｂを介して隣接する構成とされているが、溝部６４と溝部６５とが離間して配置されているような構成としてもよい。また、第１支持部６１を図１〜図３に示すものよりも厚く形成し、溝部６４，６５を切り欠いて形成する構成としてもよい。ただし、窓額縁５に対して上枠材６Ａ、下枠材６Ｂ、及び縦枠材６Ｃを取り付けた際に、溝部６４，６５のそれぞれに窓回り品が取り付け可能となるように、上枠材６Ａ、下枠材６Ｂ、及び縦枠材６Ｃのそれぞれにおける溝部６４，６５の形成位置を決める必要がある。
【００３４】
額縁材６の第２支持部６２は、窓額縁５の見付面５ｂに沿って延在し、その一方側の端部（図１の下枠材６Ｂの場合、第２支持部６２の上方側端部）で第１支持部６１と接続されている。また、第２支持部６２の長さ（長手方向の長さ）は、窓額縁５に対応している。第２支持部６２の幅（短手方向の長さ）は、見付面５ｂに対応していて、第２支持部６２により見付面５ｂが覆われる。そして、第１支持部６１と接続する側とは逆側の端部（図１の下枠材６Ｂの場合、第２支持部６２の下方側端部）には、第１支持部側へ折り曲げられた爪部６６が形成されている。
【００３５】
第２支持部６２の額縁材６の第２支持部６２及び突出部６３ｃは、断面が筒状であり、室内側の表面が窓額縁５の見付面５ｂよりも室内側に突出していて、第２支持部６２と突出部６３ｃとにより平坦面を形成しているが、この形状は、強度及び意匠性を考慮して、適宜変更することができる。第２支持部６２を筒状とした場合、額縁材６としての強度が向上する。また、第２支持部６２と突出部６３ｃの室内側表面を面一とすることで、意匠性が向上する。
【００３６】
上記の構造を有する額縁材６は、室内側から窓額縁５に対して取り付けられる。図１に示すように、額縁材６は、窓額縁５の縦枠、上枠及び下枠に対応させてそれぞれ取り付けることができる。このとき、例えば、額縁材６の第２支持部６２及び突出部６３ｃを第１支持部６１よりも長くすることで、窓額縁５の隅部（縦枠と下枠との接続部）を覆う構成とすることができる。
【００３７】
また、額縁材６は、窓額縁５の見付面５ｂを、第１支持部６１と爪部６６とにより挟み込むことによって、額縁材６を窓額縁５に対して固定することができる。したがって、額縁材６を既設の窓額縁５に対して取り付ける場合、額縁材６を窓額縁５に対して固定しなくてもよい。この場合、額縁材６の取り付け及び取り外しを容易に行うことができる。したがって、額縁材６を利用して、例えば、住宅の居住者のライフスタイルの変化に対応させた窓回り品の交換等を容易に行うことができる。なお、窓額縁５に対して額縁材６をビス等によって固定してもよい。この場合、耐震等に対する安全性が向上する。また、爪部６６を設けずに、額縁材６をビス又は接着剤等により窓額縁５に対して固定する構成としてもよい。
【００３８】
額縁材６を窓額縁５に対して取り付けた後（又は額縁材６への取り付けと並行して）、開口部２に対して窓回り品を取り付けることができる。窓回り品は、額縁材６の溝部６４，６５に対応させて取り付けることができる。
【００３９】
図２及び図３では、溝部６４に対して横型のブラインド７１を取り付けると共に、溝部６５に対して内窓７２を取り付けた例を示している。ブラインド７１を取り付ける場合には、ブラインド用のブラケット７１ａを額縁材６の上枠材６Ａの溝部６４に取り付けた後にブラインド本体を取り付ければよい。また、内窓７２を取り付ける場合には、溝部６５に対してレール及び内窓本体を取り付ければよい。これにより、図２及び図３に示すように、２つの窓回り品を額縁材６に対して取り付けた窓構造を得ることができる。
【００４０】
なお、窓回り品の幅（奥行き）が額縁材６の溝部６４，６５の幅よりも小さい場合、窓回り品の取り付け位置を固定するためのスペーサー等を、窓回り品と一緒に溝部６４，６５に対して取り付けてもよい。
【００４１】
このように、本実施形態に係る額縁材６及び額縁材６を用いた窓構造によれば、既設額縁である窓額縁５に対して額縁材６を取り付けることにより、額縁材６の表面に形成された溝部６４，６５に対して窓回り品を取り付けることが可能となる。したがって、従来の工法等と比較して、窓回り品の増設をより簡素な作業で行うことが可能となる。
【００４２】
特に、額縁材６の溝部６３，６４の幅を、予め決められた規格又は寸法（例えば３０ｍｍ〜６０ｍｍ）としておき、この規格又は寸法に対応した窓回り品を提供することで、同一の額縁材６を利用した窓回り品の取り換えも容易になる。したがって、住居の使用者のライフスタイルの変化に応じて窓回り品を変更する等のように、窓回り品の変更も容易に行うことができる。
【００４３】
また、本実施形態に係る窓構造では、額縁材６により既設の窓額縁５を覆う構成となるため、窓額縁５を取り換えることなく額縁材６によって開口部２周囲の外観を変更することができる。
【００４４】
また、額縁材６の第２支持部６２の幅が既設の窓額縁５の見付面５ｂよりも大きく、さらに爪部６６を設けることで、第１支持部６１と爪部６６とにより窓額縁５を挟むことが可能となる。このように、第１支持部６１と爪部６６とで額縁材６を窓額縁５に対して固定させる構成を備えることで、額縁材６の取り外しをより簡素な作業で行うことが可能となる。
【００４５】
図４及び図５は、図２及び図３とは異なる窓回り品を額縁材に取り付けた窓構造の例を示す図である。図４は、額縁材を取り付けた窓構造の上下方向の断面図であり、図５は、額縁材を取り付けた窓構造の水平方向の断面図である。
【００４６】
図４及び図５に示す窓構造に用いられる額縁材６は、図１〜図３に示す窓額縁と同じである。図４及び図５に示す窓構造が図１〜図３に示す窓構造と異なる点は、以下の点である。すなわち、図４及び図５に示す窓構造では、窓回り品としてアコーディオン網戸７３が溝部６５に取り付けられていて、１つの溝部６４に溝カバー材６７が取り付けられている点が、図１〜図３に示す窓構造と異なる。
【００４７】
溝部６５に対してアコーディオン網戸７３を取り付ける方法は、ブラインド７１及び内窓７２と同様に、溝部６５にレール及びアコーディオン網戸本体を取り付ければよい。
【００４８】
溝部６４に取り付けられる溝カバー材６７は、溝部６４の形状に対応した長尺平板状の部材であり、溝部６４を覆うように取り付けられる取り外し可能な部材である。溝部６４に対する溝カバー材６７の取り付け方法は特に限定されないが、例えば、図４及び図５に示すように、溝カバー材６７の端部に爪部６８を設けると共に、突出部６３ａ，６３ｂ側に設けた爪部６９と嵌合するような構成とすることができる。
【００４９】
上記の溝カバー材６７は、溝部６４に対して窓回り品を取り付けない場合に、溝部６４を塞ぐために取り付けられる。溝カバー材６７を備えることで、溝部６４を使用しない場合に、溝部６４が外部に露出することを防ぐことができると共に、外観上の意匠性が向上する。なお、溝部６４に窓回り品を取り付ける場合には、溝カバー材６７は使用しない。
【００５０】
なお、図４及び図５では、溝部６４に対応した溝カバー材６７について説明したが、溝カバー材は、溝部に応じてそれぞれ準備することが好ましい。
【００５１】
上記の実施形態では、額縁材６を窓額縁５に対して取り付ける構成について説明したが、本発明に係る額縁材は、既設額縁に取り付ける構成に限定されない。例えば、本発明に係る額縁材が窓額縁としての機能を兼ねた構成とすることもできる。
【００５２】
図６を参照しながら、変形例に係る額縁材について説明する。図６は、額縁材を取り付けた窓構造の使用例であって、上下方向の断面図である。図６に示す額縁材８は、壁体１に形成された開口部２に対して取り付けられるものである。額縁材８は、開口部２の形状に対応して、上枠材８Ａ、下枠材８Ｂ、及び対向配置される一対の縦枠材を含んで構成される。なお、図６では、上枠材８Ａ及び下枠材８Ｂのみを示している。上記実施形態で説明した額縁材６と同様に、縦枠材は上枠材８Ａ及び下枠材８Ｂと同様の構成を有する。上枠材８Ａは、四角形状の開口部２の上辺に対して取り付けられる。同様に、下枠材８Ｂは、開口部２の下辺に対して取り付けられ、縦枠材は、開口部２の左辺及び右辺に対して取り付けられる。
【００５３】
額縁材８は、開口部２の内面２ａに対して一方の面が当接する第１支持部８１（支持部）と、開口部２に接続して室内壁を形成する内装材１２の表面に対して一方の面が当接する第２支持部８２（支持部）と、第１支持部８１から突出する突出部８３ａ〜８３ｃとを有する。突出部８３ａ〜８３ｃは、第１支持部８１のうち、開口部２の内面２ａと当接する側の面（当接面）とは逆側の面（すなわち、開口部２の中心側の面）から開口部２側へ突出する。突出部８３ａ〜８３ｃによって、２つの溝部８４，８５が形成される。なお、溝部８４，８５を設けるための突出部等の構造は適宜変更することができる。
【００５４】
図６では、額縁材８（８Ａ，８Ｂ）の溝部８４にアコーディオン網戸７３を取り付けると共に、溝部８５に横型のブラインド７１を取り付けた例を示している。また、溝部とは異なる位置に手摺７４が取り付けられている。手摺７４は、縦枠材における突出部８３ａに対応する位置にビスにより固定されている。溝部８４，８５への窓回り品の取り付け方法は、額縁材６と同様である。また、窓回り品を取り付けない溝部がある場合には、額縁材６と同様に、溝部の形状に対応した長尺平板状の部材である溝カバー材を溝部に対して取り付けることができる。溝部に対して溝カバー材を取り付けることにより、溝部が外部に露出することを防ぐことができると共に、外観上の意匠性が向上する。
【００５５】
このように、本実施形態に係る額縁材８及び額縁材８を用いた窓構造によれば、既設額縁に対して取り付けられる額縁材６と同様に、額縁材８の表面に形成された溝部８４，８５に対して窓回り品を取り付けることが可能となる。したがって、従来の工法等と比較して、窓回り品の増設をより簡素な作業で行うことが可能となる。また、本実施形態に係る額縁材８は、窓額縁に対して取り付けるのではなく、窓構造用に設けられた開口部２に対して直接取り付けることができるので、新築の建築物に対しても適用可能となる。
【００５６】
以上、本発明の好適な実施形態について説明したが、本発明は上記実施形態に限定されるものではなく、種々の変形が可能である。
【００５７】
例えば、上記実施形態では、２つの溝部６４，６５を有する額縁材６について説明したが、額縁材６に設けられる溝部は、一以上あればよく、その数は適宜変更することができる。
【００５８】
また、額縁材６は、窓額縁５に沿って延在する構成を有するが、見付面５ｂ側の第２支持部６２は見付面５ｂを全て覆う必要はなく、見付面５ｂの一部が露出するような構成であってもよい。
【符号の説明】
【００５９】
１…壁体、２…開口部、５…窓額縁、６，８…額縁材、６１，８１…第１支持部、６２，８２…第２支持部、６３ａ〜６３ｃ，８３ａ〜８３ｃ…突出部、６４，６５，８４，８５…溝部。
【図１】
2016223223.tif 000003
【図２】
2016223223.tif 000004
【図３】
2016223223.tif 000005
【図４】
2016223223.tif 000006
【図５】
2016223223.tif 000007
【図６】
2016223223.tif 000008